【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
レール体と、
前記レール体に係合して可動扉を摺動可能に支持する第１及び第２のレール案内体と、
前記第１のレール案内体に設けられ、前記レール体の傾きに応じて回動可能な第１のベアリングと、
前記第２のレール案内体に設けられ、前記レール体の傾きに応じて前記第１のベアリングとは異なる方向に回動可能な第２のベアリングと、
を備える可動式ホーム柵。
【請求項２】
可動扉と、
前記可動扉を収納可能に設けられた戸袋と、
前記戸袋内に設けられたレール体と、
前記可動扉に設けられ、前記レール体に係合して前記可動扉を摺動可能に支持する第１及び第２のレール案内体と、
前記第１のレール案内体に設けられ、前記レール体の傾きに応じて回動可能な第１のベアリングと、
前記第２のレール案内体に設けられ、前記レール体の傾きに応じて前記第１のベアリングとは異なる方向に回動可能な第２のベアリングと、
を備える可動式ホーム柵。
【請求項３】
可動扉と、
前記可動扉を収納可能に設けられた戸袋と、
前記可動扉に設けられたレール体と、
前記戸袋内に設けられ、前記レール体に係合して前記可動扉を摺動可能に支持する第１及び第２のレール案内体と、
前記第１のレール案内体に設けられ、前記レール体の傾きに応じて回動可能な第１のベアリングと、
前記第２のレール案内体に設けられ、前記レール体の傾きに応じて前記第１のベアリングとは異なる方向に回動可能な第２のベアリングと、
を備える可動式ホーム柵。
【請求項４】
前記第１及び第２のベアリングは、球面ベアリングであることを特徴とする請求項１〜３のいずれか一項に記載の可動式ホーム柵。
【請求項５】
前記第１及び第２のベアリングは、半球面ベアリングであることを特徴とする請求項１〜３のいずれか一項に記載の可動式ホーム柵。
【請求項６】
前記第１及び第２のベアリングは、軸受ベアリングであることを特徴とする請求項１〜３のいずれか一項に記載の可動式ホーム柵。
【手続補正２】
【補正対象書類名】明細書
【補正対象項目名】発明の名称
【補正方法】変更
【補正の内容】
【発明の名称】可動式ホーム柵
【手続補正３】
【補正対象書類名】明細書
【補正対象項目名】０００１
【補正方法】変更
【補正の内容】
【０００１】
この発明は、例えばプラットホーム上に設置される可動式ホーム柵に関するものである。
【手続補正４】
【補正対象書類名】明細書
【補正対象項目名】０００８
【補正方法】変更
【補正の内容】
【０００８】
本発明は、上記のような問題点を解決するものであり、レール案内体と係合するレール体に歪があっても、可動扉の移動をスムーズに行なうことができ、しかもレール案内体の損傷を極力抑えることができるものである。
【手続補正５】
【補正対象書類名】明細書
【補正対象項目名】０００９
【補正方法】変更
【補正の内容】
【０００９】
請求項１に記載の可動式ホーム柵は、レール体と、レール体に係合して可動扉を摺動可能に支持する第１及び第２のレール案内体と、第１のレール案内体に設けられ、レール体の傾きに応じて回動可能な第１のベアリングと、第２のレール案内体に設けられ、レール体の傾きに応じて第１のベアリングとは異なる方向に回動可能な第２のベアリングと、を備えるものである。
【手続補正６】
【補正対象書類名】明細書
【補正対象項目名】００１０
【補正方法】変更
【補正の内容】
【００１０】
また、請求項２に記載の可動式ホーム柵は、可動扉と、可動扉を収納可能に設けられた戸袋と、戸袋内に設けられたレール体と、可動扉に設けられ、レール体に係合して可動扉を摺動可能に支持する第１及び第２のレール案内体と、第１のレール案内体に設けられ、レール体の傾きに応じて回動可能な第１のベアリングと、第２のレール案内体に設けられ、レール体の傾きに応じて第１のベアリングとは異なる方向に回動可能な第２のベアリングと、を備えるものである。
【手続補正７】
【補正対象書類名】明細書
【補正対象項目名】００１１
【補正方法】変更
【補正の内容】
【００１１】
また、請求項３に記載の可動式ホーム柵は、可動扉と、可動扉を収納可能に設けられた戸袋と、可動扉に設けられたレール体と、戸袋内に設けられ、レール体に係合して可動扉を摺動可能に支持する第１及び第２のレール案内体と、第１のレール案内体に設けられ、レール体の傾きに応じて回動可能な第１のベアリングと、第２のレール案内体に設けられ、レール体の傾きに応じて第１のベアリングとは異なる方向に回動可能な第２のベアリングと、を備えるものである。
【手続補正８】
【補正対象書類名】明細書
【補正対象項目名】００１２
【補正方法】変更
【補正の内容】
【００１２】
この発明によれば、レール案内体と係合するレール体に歪があっても、可動扉の移動をスムーズに行なうことができ、しかもレール案内体の損傷を極力抑えることができる。
【手続補正９】
【補正対象書類名】明細書
【補正対象項目名】００１９
【補正方法】変更
【補正の内容】
【００１９】
【図１】この発明の実施の形態１に係る可動式ホーム柵を示す正面図である。
【図２】実施の形態１に係る可動式ホーム柵の要部を示す正面図である。
【図３】実施の形態１に係るリニアガイドベアリングおよびその支持部を示す正面図である。
【図４】実施の形態１に係るリニアガイドベアリングおよびその支持部を示す側面図である。
【図５】実施の形態１に係るベアリング支持体を示す斜視図である。
【図６】実施の形態１に係るリニアガイドベアリングの動作を説明する図である。
【図７】実施の形態１に係るリニアガイドベアリングの動作を説明する略線図である。
【図８】実施の形態１に係るリニアガイドベアリングの動作を説明する図である。
【図９】実施の形態１に係る別の形のリニアガイドベアリングおよびその支持部を示す正面図（ａ）および平面図（ｂ）である。
【図１０】実施の形態１に係るさらに別の形のリニアガイドベアリングおよびその支持部を示す正面図（ａ）および平面図（ｂ）である。
【図１１】実施の形態１に係るさらに別の形のリニアガイドベアリングおよびその支持部を示す正面図である。
【図１２】実施の形態１に係るさらに別の形のリニアガイドベアリングおよびその支持部を示す正面図（ａ）、平面図（ｂ）および側面図（ｃ）である。
【図１３】実施の形態１に係るさらに別の形のリニアガイドベアリングを示す正面図（ａ）、平面図（ｂ）および側面図（ｃ）である。
【図１４】この発明の実施の形態２に係る可動式ホーム柵を示す斜視図である。
【図１５】実施の形態２に係る可動式ホーム柵を示す側面図である。
【図１６】一般的な可動式ホーム柵を示す正面図である。
【図１７】図１６の側面を示す略線図である。
【図１８】従来の可動式ホーム柵の要部を示す正面図である。
【図１９】従来のリニアガイドベアリングおよびその支持部を示す側面図である。
【図２０】従来のリニアガイドベアリングの動作を説明する略線図である。
【手続補正１０】
【補正対象書類名】明細書
【補正対象項目名】００２１
【補正方法】変更
【補正の内容】
【００２１】
実施の形態１．
本実施の形態１に係る可動式ホーム柵において、可動式ホーム柵の構造のうち、リニアガイドベアリングおよびその支持部を除いた要素は図１６および図１７と同様であり、同一または類似の要素には同一の符号を付して詳細な説明は省略する。図１は実施の形態１に係る可動扉を概略的に示す正面図である。図２はこの発明の要部であるリニアガイドベアリングに関連する部分を示す図である。図１および図２において、可動扉１の下端側部にはリニアブラケット２が強固に固定されている。
【手続補正１１】
【補正対象書類名】明細書
【補正対象項目名】００２３
【補正方法】変更
【補正の内容】
【００２３】
次に、本発明の実施の形態１に係る可動式ホーム柵の動作を説明する。図２はリニアガイド５に歪がない状態を示しており、可動扉１は２個のリニアガイドベアリング３に支持されて、モーター駆動により円滑にリニアガイド５上を移動する。一般にリニアガイド５の取付け誤差許容度は、２個のリニアガイドベアリング３の間隔が２００ｍｍの場合、０.０２ｍｍ以下の傾きが要求される。リニアガイド５を有するリニアガイドレール４は２ｍ〜５ｍの長さになるため、このリニアガイドレール４の長さにわたってこれだけの加工精度が要求されることになる。剛性の強い鉄骨などに比べてはるかに細いリニアガイドレール４をこの精度で全長にわたって加工することは非常な労力が要求される。
【手続補正１２】
【補正対象書類名】明細書
【補正対象項目名】００３２
【補正方法】変更
【補正の内容】
【００３２】
実施の形態２．
図１４および図１５はこの発明の実施の形態２に係る可動式ホーム柵を示すものである。図において、可動扉１は戸袋１０に出入り可能に支持されている。実施の形態１と異なり、本実施の形態２では、可動扉１の側面で、かつプラットホーム面と平行にリニアガイド５が設けられている。一方、戸袋１０側の支柱１８には、Ｚ形金具１６により２個のリニアガイドベアリング３が所定の間隔をあけて取り付けられ、これらのリニアガイドベアリング３がリニアガイド５に跨るように配置され、可動扉１を支えている。可動扉１はモーター６によりタイミングベルト１７を介して駆動されるようになされている。なお、図１４は、戸袋１０の壁面から内部が透視できるように図示したものであり、図１４には、図１５に示す支柱１８は図示を省略している。